(57)【特許請求の範囲】
【請求項１】
建物の床面と、前記建物の壁の開口部を開閉する開閉体の下端部との相互間の下方隙間から水が浸入することを防止するための浸水防止構造であって、
前記開閉体によって前記開口部を全閉した状態において、少なくとも当該開閉体の外側面から前記建物の床面に至るように設けられた防水シートと、
前記下方隙間に、前記建物の外側から当該建物の内側に向けて差し込むための下方差込部材と、を備え、
前記下方差込部材のうち、少なくとも前記下方隙間に差し込まれる側の端部である差込端部の縦断面形状を、くさび状とし、
前記開閉体によって前記開口部を全閉した状態において、前記防水シートが、前記開閉体の下端部に設けられた座板と前記下方差込部材との相互間を通って前記建物の外側から内側に向かう方向に至り、前記下方差込部材の前記差込端部において前記建物の内側から外側に向かう方向に折り返され、前記下方差込部材と前記建物の床面とによって挟持されるように、当該差込端部及び当該防水シートの一部を前記下方隙間に差し込んだ、
浸水防止構造。
【請求項２】
前記下方差込部材は、
自己の変形により生じる復元力を前記防水シートの一部に作用させることによって、当該防水シートの一部を前記建物の床面に対して密着させる密着部を備える、
請求項１に記載の浸水防止構造。
【請求項３】
前記密着部を、前記下方差込部材の下面において、前記建物の床面の表面形状に応じて変形可能となるように形成した、
請求項２に記載の浸水防止構造。
【請求項４】
前記下方差込部材における前記差込端部とは反対側の端部に、切欠部を形成した、
請求項１から３のいずれか一項に記載の浸水防止構造。
【請求項５】
前記下方差込部材における少なくとも前記差込端部の下面に、凸部を設けた、
請求項１から４のいずれか一項に記載の浸水防止構造。
【請求項６】
前記開閉体によって前記開口部を全閉した状態において、前記防水シートを、前記下方隙間に差し込まれた前記下方差込部材よりも前記建物の外側に延出させた、
請求項１から５のいずれか一項に記載の浸水防止構造。
【請求項７】
前記建物の壁における前記開口部の側方に設けられた縦枠と、前記開閉体の外側面との相互間の側方隙間に、前記開口部の幅方向の中央側から前記縦枠側に向けて差し込むための側方差込部材を備え、
前記開閉体によって前記開口部を全閉した状態において、前記防水シートが、前記側方差込部材と前記縦枠とによって挟持されるように、当該側方差込部材及び当該防水シートの一部を前記側方隙間に差し込んだ、
請求項１から６のいずれか一項に記載の浸水防止構造。
【請求項８】
複数の前記下方差込部材を、前記開閉体の幅方向に沿って並設した、
請求項１から７のいずれか一項に記載の浸水防止構造。
【発明の詳細な説明】
【技術分野】
【０００１】
本発明は、浸水防止構造に関する。
【背景技術】
【０００２】
従来、建物の壁に設けられた開口部を開閉するシャッターカーテンの周囲からの浸水を防止する浸水防止構造が提案されている。例えば、このような浸水防止構造は、開口部の周縁に設けられた縦枠とシャッターカーテンの側部との相互間の隙間から水が浸入することを防止できるように、このシャッターカーテンの屋外側の側面に、防水シートを設けると共に、開口部の側方に設置されたガイドレールに、防水シートと対向するようにシール部材を設けて構成されていた。この浸水防止構造によれば、水圧がシャッターカーテンに加えられると、防水シートがシール材に圧接されるので、シャッターカーテンの側部からの浸水を防止できる。
【０００３】
しかしながら、このような浸水防止構造では、縦枠とシャッターカーテンの側部との相互間の隙間から水が浸入することを防止できるものの、建物の床面とシャッターカーテンの下端部との相互間の隙間からは依然として水が浸入するおそれがあった。そこで、このような問題を解消するため、建物の床面とシャッターカーテンの下端部との相互間の隙間を塞ぐ浸水防止構造も提案されている（例えば、特許文献１参照）。この浸水防止構造は、シャッターカーテンよりも屋外側に位置するように設けられた防水シートであって、シャッターカーテンの下側部分から建物の床面に至る範囲を覆い、且つ、防水シートの端部が建物の床面に沿って屋外側に向けて延在するように配置された防水シートを設けて構成されている。また、流水によって防水シートがめくり上がることを防止するために、防水シートの端部に押圧部材が載置されている。このような構成により、押圧部材によって防水シートが建物の床面に対して押圧されることで、流水によって防水シートがめくり上がることを防止できる。よって、建物の床面とシャッターカーテンの下端部との相互間の隙間を塞ぐことができるため、この隙間から水が浸入することを防止できる。
【先行技術文献】
【特許文献】
【０００４】
【特許文献１】特開２０１４−１３６８９７号公報
【発明の概要】
【発明が解決しようとする課題】
【０００５】
ここで、特許文献１のような技術において、比較的流れが強い流水であっても防水シートがめくり上がらないようにするためには、押圧部材の重量を増やす必要が生じる。しかし、このように押圧部材の重量を増やすと、当該押圧部材を持ち運ぶことが困難になることから、浸水防止構造の設置性が低下するという問題が生じていた。
【０００６】
本発明は、上記従来技術における課題を解決するためのものであって、建物の床面とシャッターカーテン如き開閉体の下端部との相互間の隙間から水が浸入することを防止する際の設置性を向上させることが可能になる、浸水防止構造を提供することを目的とする。
【課題を解決するための手段】
【０００７】
上述した課題を解決し、目的を達成するために、請求項１に記載の浸水防止構造は、建物の床面と、前記建物の壁の開口部を開閉する開閉体の下端部との相互間の下方隙間から水が浸入することを防止するための浸水防止構造であって、前記開閉体によって前記開口部を全閉した状態において、少なくとも当該開閉体の外側面から前記建物の床面に至るように設けられた防水シートと、前記下方隙間に、前記建物の外側から当該建物の内側に向けて差し込むための下方差込部材と、を備え、前記下方差込部材のうち、少なくとも前記下方隙間に差し込まれる側の端部である差込端部の縦断面形状を、くさび状とし、前記開閉体によって前記開口部を全閉した状態において、前記防水シートが、前記開閉体の下端部に設けられた座板と前記下方差込部材との相互間を通って前記建物の外側から内側に向かう方向に至り、前記下方差込部材の前記差込端部において前記建物の内側から外側に向かう方向に折り返され、前記下方差込部材と前記建物の床面とによって挟持されるように、当該差込端部及び当該防水シートの一部を前記下方隙間に差し込んだ。
【０００８】
請求項２に記載の浸水防止構造は、請求項１に記載の浸水防止構造において、前記下方差込部材は、自己の変形により生じる復元力を前記防水シートの一部に作用させることによって、当該防水シートの一部を前記建物の床面に対して密着させる密着部を備える。
【０００９】
請求項３に記載の浸水防止構造は、請求項２に記載の浸水防止構造において、前記密着部を、前記下方差込部材の下面において、前記建物の床面の表面形状に応じて変形可能となるように形成した。
【００１０】
請求項４に記載の浸水防止構造は、請求項１から３のいずれか一項に記載の浸水防止構造において、前記下方差込部材における前記差込端部とは反対側の端部に、切欠部を形成した。
【００１１】
請求項５に記載の浸水防止構造は、請求項１から４のいずれか一項に記載の浸水防止構造において、前記下方差込部材における少なくとも前記差込端部の下面に、凸部を設けた。
【００１２】
請求項６に記載の浸水防止構造は、請求項１から５のいずれか一項に記載の浸水防止構造において、前記開閉体によって前記開口部を全閉した状態において、前記防水シートを、前記下方隙間に差し込まれた前記下方差込部材よりも前記建物の外側に延出させた。
【００１３】
請求項７に記載の浸水防止構造は、請求項１から６のいずれか一項に記載の浸水防止構造において、前記建物の壁における前記開口部の側方に設けられた縦枠と、前記開閉体の外側面との相互間の側方隙間に、前記開口部の幅方向の中央側から前記縦枠側に向けて差し込むための側方差込部材を備え、前記開閉体によって前記開口部を全閉した状態において、前記防水シートが、前記側方差込部材と前記縦枠とによって挟持されるように、当該側方差込部材及び当該防水シートの一部を前記側方隙間に差し込んだ。
請求項８に記載の浸水防止構造は、請求項１から７のいずれか一項に記載の浸水防止構造において、複数の前記下方差込部材を、前記開閉体の幅方向に沿って並設した。
【発明の効果】
【００１４】
請求項１に記載の浸水防止構造によれば、下方差込部材のうち、少なくとも差込端部の縦断面形状を、くさび状とし、開閉体によって開口部を全閉した状態において、防水シートが、差込端部と建物の床面とによって挟持されるように、当該差込端部及び当該防水シートの一部を下方隙間に差し込むので、防水シート及び下方差込部材によって、この下方隙間から水が浸入することを防止できる。また、防水シートが、座板と下方差込部材とによって挟持され、且つ、この下方差込部材と建物の床面とによって挟持されるように、これら下方差込部材及び防水シートの一部が下方隙間に差し込まれているので、開口部全閉状態において、防水シートを強固に保持できることから、下方隙間から水が浸入することを防止することが可能となる。特に、部材の重量によって防水シートを建物の床面に押圧するのではなく、部材の差し込み圧力によって防水シートを建物の床面に圧接することができるので、流水の強さに応じて部材（下方差込部材）の重量を増加させる必要がなく、同じ部材（下方差込部材）を用いることができる。よって、従来技術に比べて、浸水防止のために使用される部材（下方差込部材）の軽量化を図ることができ、浸水防止構造の設置性を高めることが可能となる。
【００１５】
請求項２に記載の浸水防止構造によれば、下方差込部材は、自己の変形により生じる復元力を防水シートの一部に作用させることによって、当該防水シートの一部を建物の床面に対して密着させる密着部を備えるので、開閉体によって開口部を全閉した状態において、下方隙間に下方差込部材を差し込んだ場合に、密着部によって防水シートの一部を建物の床面によって密着させることができ、建物の床面と防水シートとの相互間の隙間から水が浸入することを一層抑制することが可能となる。
【００１６】
請求項３に記載の浸水防止構造によれば、密着部を、下方差込部材の下面において、建物の床面の表面形状に応じて変形可能となるように形成したので、建物の床面の表面形状に関わらず、密着部によって防水シートの一部と建物の床面とを所定の領域で密着させることができ、建物の床面と防水シートとの相互間の隙間から水が浸入することを一層抑制することが可能となる。
【００１７】
請求項４に記載の浸水防止構造によれば、下方差込部材における差込端部とは反対側の端部に、切欠部を形成したので、切欠部に指を掛けることができ、下方差込部材を所定位置に容易に差し込むことが可能となる。また、切欠部が設けられていない場合に比べて、下方差込部材の軽量化を図ることができ、下方差込部材の製造コストを低減することが可能となる。
【００１８】
請求項５に記載の浸水防止構造によれば、下方差込部材における少なくとも差込端部の下面に、凸部を設けたので、下方差込部材と建物の床面とを線接触させることができ、建物の床面と防水シートとの相互間の隙間から水が浸入することをさらに一層抑制することが可能となる。
【００１９】
請求項６に記載の浸水防止構造によれば、開閉体によって開口部を全閉した状態において、防水シートを、下方隙間に差し込まれた下方差込部材よりも建物の外側に延出させたので、水によって防水シートの延出部分が押圧されることが可能となることから、建物の床面と防水シートとの相互間の隙間から水が浸入することをさらに一層抑制することが可能となる。
【００２０】
請求項７に記載の浸水防止構造によれば、側方隙間に、開口部の幅方向の中央側から縦枠側に向けて差し込むための側方差込部材を備えたので、側方差込部材と縦枠とによって防水シートにおける上端部から下方隙間に至る部分が挟持されることにより、流水によって防水シートがめくり上がることを一層抑制でき、建物の床面と防水シートとの相互間の隙間から水が浸入することも一層抑制することが可能となる。
【図面の簡単な説明】
【００２１】
【図１】本発明の実施の形態１に係るシャッターを示す図であり、（ａ）は正面図、（ｂ）は（ａ）のＡ−Ａの矢視断面図である。
【図２】図１の扉のＢ−Ｂ矢視断面図である。
【図３】図２の下方領域の拡大図である。
【図４】下方差込部材を示す図であり、（ａ）は平面図、（ｂ）は背面図、（ｃ）は底面図、（ｄ）は（ｂ）の下方差込部材のＣ−Ｃ矢視断面図である。
【図５】実施の形態２に係る浸水防止構造を示す図であって、図２の下方領域の拡大図である。
【図６】下方差込部材を示す図であり、（ａ）は平面図、（ｂ）は背面図、（ｃ）は底面図、（ｄ）は（ｂ）の下方差込部材のＤ−Ｄ矢視断面図である。
【図７】実施の形態３に係る浸水防止構造を示す図であって、図２の下方領域の拡大図である。
【図８】下方差込部材を示す図であり、（ａ）は平面図、（ｂ）は背面図、（ｃ）は底面図、（ｄ）は（ｂ）の下方差込部材のＥ−Ｅ矢視断面図である。
【図９】下方差込部材における差込状態の変形例を示す図であって、図２の下方領域の拡大図である。
【発明を実施するための形態】
【００２２】
以下に添付図面を参照して、この発明に係る浸水防止構造の実施の形態を詳細に説明する。まず、〔I〕実施の形態の基本的概念について説明した後、〔II〕実施の形態の具体的内容について説明し、最後に、〔III〕実施の形態に対する変形例について説明する。ただし、実施の形態によって本発明が限定されるものではない。
【００２３】
〔I〕実施の形態の基本的概念
まず、実施の形態の基本的概念について説明する。実施の形態は、概略的に、建物の床面と、建物の壁の開口部を開閉する開閉体（例えば後述するシャッターカーテン）の下端部との相互間の下方隙間から水が浸入することを防止する、浸水防止構造に関するものである。
【００２４】
ここで、「建物」とは、その具体的な構造や種類は任意であるが、例えば、戸建て住宅、アパートやマンションの如き集合住宅、オフィスビル、商業施設、及び公共施設等を含む概念である。また、「建物の壁の開口部」とは、建物の壁（建物の躯体を構成する壁や、外壁を含む）において窓や入り口を設置するために形成された開口である。また、「開閉体」は、開口部の出入り又は視界を抑制又は制限するための構造体を意味し、例えば、シャッター、扉等を含む概念である。このうち、「シャッター」とは、防犯や防火のために、建物の開口部に取り付けられる巻上げ戸であり、例えば、窓シャッター、軽量シャッター、重量シャッター等を含む概念である。また、シャッターの駆動方式は任意であり、例えば、「手動式のシャッター」や「電動式のシャッター」として構成することができる。また、シャッターの開閉構造は任意であり、例えば、「上下開閉式のシャッター」や「左右開閉式のシャッター」として構成することができる。また、「扉」の取り付け位置や用途は任意であるが、例えば玄関に設置される「玄関扉」、勝手口や通用口に設置される「勝手口扉」、あるいは建物内部に設置されるための「室内扉」を含む。また、扉の開閉構造は任意であり、例えば、「開き戸」や「引き戸」として構成することができる。また、「水が浸入する」とは、開閉体よりも建物の外側にある水が、開閉体よりも建物の内側に入りこむことを意味する。以下、実施の形態では、開閉体が、戸建て住宅の如き建物の壁に設けられた上下開閉式且つ電動式の軽量シャッターである場合について説明する。
【００２５】
〔II〕実施の形態の具体的内容
次に、各実施の形態の具体的内容について説明する。
【００２６】
〔実施の形態１〕
まず、実施の形態１に係る浸水防止構造について説明する。この実施の形態１は、下方差込部材全体の縦断面形状をくさび状とした形態である。
【００２７】
（構成）
最初に、実施の形態１に係る浸水防止構造が適用されるシャッターの構成について説明する。図１は、本発明の実施の形態１に係るシャッターを示す図であり、（ａ）は正面図、（ｂ）は（ａ）のＡ−Ａの矢視断面図である。図２は、図１の扉のＢ−Ｂ矢視断面図である。なお、以下の説明では、図１のＸ方向をシャッターの左右方向（−Ｘ方向をシャッターの左方向、＋Ｘ方向をシャッターの右方向）、図１のＹ方向をシャッターの前後方向（＋Ｙ方向をシャッターの前方向（建物の外側の方向）、−Ｙ方向をシャッターの後方向（建物の内側の方向））、図１のＺ方向をシャッターの上下方向（＋Ｚ方向をシャッターの上方向、−Ｚ方向をシャッターの下方向）と称する。
【００２８】
これら図１、図２に示すように、シャッター１は、概略的に、ガイドレール１４（縦枠）と、シャッター収納部２０と、シャッターカーテン３０と、開閉機（図示省略）とを備えて構成されている。ただし、シャッター１に関する特記しない構成については、従来と同様であるものとして説明を省略する。
【００２９】
（構成−ガイドレール）
ガイドレール１４は、シャッターカーテン３０を開口部３の開閉方向（すなわち、上下方向）に沿って移動するように案内するものである。このガイドレール１４は、横断面形状が略コ字状となるように形成された長尺体であり、シャッター１の左右の各端部において、上下方向に略沿う方向で配置されており、建物の左壁１１（又は右壁１２）に対して直接的に固定されたり、又は下地材（図示省略）を介して間接的に固定されている（すなわち、躯体２に対して直接的又は間接的に固定されている）。
【００３０】
（構成−シャッター収納部）
シャッター収納部２０は、シャッター１の各部を収納するための中空体であり、建物の上壁１３の近傍位置に取り付けられている。このシャッター収納部２０の内部には、開閉機と、巻き取り軸５０とが収容されている。また、巻き取り軸５０にてシャッターカーテン３０が巻き取られた状態では、シャッターカーテン３０の少なくとも一部も、シャッター収納部２０の内部に収容される。このシャッター収納部２０の下側部において、シャッターカーテン３０を中心とする建物の外側及び内側には、まぐさ（図示省略）が固定されている。これらまぐさの相互間には、開口部３の左右方向全長にわたるまぐさ開口（図示省略）が形成されており、このまぐさ開口を介してシャッターカーテン３０の出し入れが行われる。
【００３１】
（構成−シャッターカーテン）
シャッターカーテン３０は、巻き取り軸５０によって巻き取り又は巻き出しされることで、開口部３を全開した状態、開口部３を全閉した状態、あるいは半開状態とする遮蔽手段である。図２に示すように、このシャッターカーテン３０は、複数のスラット３０ａを備えて構成されており、各スラット３０ａの上下の両端部には嵌合部３０ｂが設けられている。この嵌合部３０ｂは、複数のスラット３０ａを相互に嵌合接続するために各スラット３０ａの上下の両端部に設けられたもので、これら両端部を屈曲させることによって形成されている。また、このシャッターカーテン３０の左右方向の両端部の各々は、ガイドレール１４のコ字状の開放端部を介してガイドレール１４の内部に挿入されており、上下方向においてはガイドレール１４の内部をスライド移動可能であり、かつ、前後方向においてはガイドレール１４の外部に脱落しないように規制されている。
【００３２】
また、シャッターカーテン３０の下端部には、座板３１が設けられている。この座板３１は、シャッターカーテン３０によって開口部３を全閉した状態（以下、「開口部全閉状態」と称する）において建物の床面と近接し、又は接触するように配置されたものであり、シャッターカーテン３０の下端部の左右方向全長にわたって形成されている。この座板３１の上端部には嵌合部３１ａが設けられており、この嵌合部３１ａをシャッターカーテン３０の最下方側のスラット３０ａにおける下端部の嵌合部３０ｂに嵌合させることで、座板３１がシャッターカーテン３０に取付けられている。また、この座板３１には、座板カバー（図示省略）が設けられている。座板カバーは、座板３１が左右方向に振動等してガイドレール１４の見込面と接触した場合に、当該ガイドレール１４の見込面が損傷することを防止するためのものである。この座板カバーは、座板３１の左右方向の両端部の各々において、左右方向の外向きに向けて張り出すように配置されており、座板３１に対して固定されている。
【００３３】
（構成−開閉機）
開閉機は、巻き取り軸５０を回転駆動することによって電動でシャッターカーテン３０を昇降させる昇降手段であり、操作スイッチやリモコン（いずれも図示せず）を介して操作される。
【００３４】
（構成−浸水防止構造）
次に、シャッター１の構成の詳細について説明する。図３は、図２の下方領域の拡大図である。図２、図３に示すように、このシャッター１は、開口部全閉状態において、建物の床面と座板３１の下端部との相互間の隙間３２（以下、「下方隙間３２」と称する）、左側のガイドレール１４とシャッターカーテン３０の左側端部との相互間の隙間３３（以下、「左側方隙間３３（側方隙間）」と称する）、及び右側のガイドレール１４とシャッターカーテン３０の右側端部との相互間の隙間３４（以下、「右側方隙間３４（側方隙間）」と称する）から、水が浸入することを防止するための浸水防止構造を備えている。この浸水防止構造は、防水シート６０と、下方差込部材７０と、側方差込部材８０と、押圧部材９０とを備えて構成されている。以下では、この浸水防止構造について説明する。
【００３５】
（構成−浸水防止構造−防水シート）
最初に、防水シート６０について説明する。この防水シート６０は、開口部全閉状態において、下方隙間３２を覆うことにより、この下方隙間３２から水が浸入することを防止するための防水手段である。この防水シート６０は、略矩形状のシート状体であり、例えば公知の防水シート（具体的には、表側はナイロンで構成され、裏側はポリウレタンで構成された防水シート等）を用いて構成されている。
【００３６】
ここで、防水シート６０の大きさ及び配置位置は任意であるが、開口部全閉状態において、防水シート６０によって下方隙間３２が覆われるように、少なくともシャッターカーテン３０の外側面（すなわち、シャッターカーテン３０における建物の外側の側面）から建物の床面に至るように配置されている。この防水シート６０によって覆われる領域については、以下に示す通りに設定されている。具体的には、図１から図３に示すように、縦方向の領域において、当該領域の一方の端部については、当該領域の一方の端部が建物の床面から想定される水面までの高さ（例えば、３００ｍｍ等）と同じ又はそれよりも高くなるように、建物の床面から上方に向けて所定距離Ｌ１（例えば、４００ｍｍ等）に至る位置に設定されている。また、上記領域の他方の端部については、後述するように、防水シート６０を下方隙間３２に差し込まれる下方差込部材７０よりも建物の外側に延出させることにより、防水シート６０の延出部分が当該延出部分の上に流入した水によって下方に押圧されるように、開口部３から建物の外側に向けて所定距離Ｌ２（例えば、１００ｍｍ等）に至る位置に設定されている。また、横方向の領域においては、後述するように、左側方隙間３３及び右側方隙間３４の各々に、側方差込部材８０と共に、防水シート６０の一部を差し込むことが可能となるように、左側のガイドレール１４の外側面から右側のガイドレール１４の外側面に至る領域となるように設定されている。このような配置により、開口部全閉状態において、防水シート６０によって下方隙間３２を覆うことが可能となる。
【００３７】
（構成−浸水防止構造−下方差込部材）
次に、下方差込部材７０について説明する。図４は、下方差込部材７０を示す図であり、（ａ）は平面図、（ｂ）は背面図、（ｃ）は底面図、（ｄ）は（ｂ）の下方差込部材７０のＣ−Ｃ矢視断面図である。下方差込部材７０は、開口部全閉状態において、下方隙間３２に差し込むためのものである。この下方差込部材７０が設けられた理由は、以下の通りである。すなわち、押圧部材９０のみで防水シート６０を建物の床面に対して押圧することにより、流水によって防水シート６０がめくり上がることを防止することも考えられる。しかしながら、この場合には、流水の流れが強くなるに伴って、押圧部材９０の重量を増やす必要があることから、浸水防止構造の設置性を低下させる可能性があった。そこで、この問題を解消するために、下方差込部材７０が設けられている。この下方差込部材７０は、図１、図２に示すように、開口部全閉状態において、下方隙間３２に左右方向に沿って複数個差し込まれている。より具体的には、一部を除いて、複数の下方差込部材７０が相互に隙間なく差し込まれている。これら複数の下方差込部材７０は相互に同一に構成することができるので、以下では、一つの下方差込部材７０について代表的に説明する。この下方差込部材７０は、図３、図４に示すように、本体部７１と、密着部７５とを備えている。
【００３８】
（構成−浸水防止構造−下方差込部材−本体部）
本体部７１は、下方差込部材７０の基本構造体である。この本体部７１は、中実体（又は中空体）にて形成されており、開口部全閉状態において、本体部７１の少なくとも一部が下方隙間３２に差し込まれる。なお、以下では、本体部７１の端部のうち、下方隙間３２に差し込まれる側の端部７２を、「下方差込端部７２（差込端部）」と称する。
【００３９】
ここで、この本体部７１の形状については任意であるが、実施の形態１においては、開口部全閉状態における下方隙間３２の上下方向の長さ（隙間の高さ）が、シャッター１の設置状況等に応じて一律ではないことに対応すべく、本体部７１の差込量を調整できる形状にて形成されている。なお、この下方隙間３２の上下方向の長さ（隙間の高さ）については、通常、０ｍｍ程度であるが、ここでは、座板３１が上方に持ち上げられることにより、下方隙間３２が形成されたときの長さとして説明する。
【００４０】
具体的には、図３、図４（ｄ）に示すように、本体部７１全体の縦断面形状がくさび状に形成されている。より具体的には、開口部全閉状態における下方隙間３２の上下方向の長さ（隙間の高さ）が１ｍｍから１０ｍｍ程度である場合に、この下方隙間３２に下方差込部材７０を好適に差し込むことができるように、本体部７１の左右方向の長さ（幅）が３００ｍｍから６００ｍｍ程度、本体部７１の前後方向の長さ（奥行き）が７０ｍｍから８０ｍｍ程度、及び本体部７１の上下方向の長さ（厚さ）が１０ｍｍから２０ｍｍ程度となるように形成されている。この形状の場合には、本体部７１の上面と本体部７１の下面とがなす内角が１０度から１５度程度となる。このような形状により、開口部全閉状態における下方隙間３２の上下方向の長さ（隙間の高さ）が長くなる程、本体部７１の差込量を多くすることにより、下方隙間３２を常に塞ぐことができるので、下方隙間３２の上下方向の長さ（隙間の高さ）に応じて、本体部７１の差込量を調整できることなり、下方差込部材７０の設置性を向上させることが可能となる。
【００４１】
また、本体部７１の上面と本体部７１の下面とがなす内角の設定については任意であり、例えば、下方隙間３２の上下方向の長さ（隙間の高さ）が１ｍｍから１０ｍｍを上回る場合には、本体部７１の上面と本体部７１の下面とがなす内角を、図４（ｄ）に示す当該内角よりも大きく設定してもよく、あるいは、図４（ｄ）に示す当該内角と略同一に設定しながら、本体部７１の上下方向の長さ（厚さ）及び前後の方向の長さ（奥行き）を、図４（ｄ）に示す当該長さよりも長くしてもよい。また、下方隙間３２の上下方向の長さ（隙間の高さ）が１ｍｍから１０ｍｍを下回る場合には、本体部７１の上面と本体部７１の下面とがなす内角を、図４（ｄ）に示す当該内角よりも小さく設定してもよく、あるいは、当該内角と略同一に設定しながら、本体部７１の上下方向の長さ（厚さ）及び前後方向の長さ（奥行き）を、図４（ｄ）に示す当該長さよりも短くしてもよい。
【００４２】
また、本体部７１の前後方向の長さ（奥行き）を、上記所定距離Ｌ２よりも短くすることで、開口部全閉状態において、下方差込部材７０が下方隙間３２に差し込まれた場合に、防水シート６０を、下方隙間３２に差し込まれた下方差込部材７０よりも建物の外側に延出させることができる。この状態においては、防水シート６０の延出部分が、当該延出部分の上に流入した水によって下方に押圧されるため、建物の床面と防水シート６０との相互間の隙間から水が浸入することを一層抑制することが可能となる。
【００４３】
また、本体部７１と防水シート６０との設置関係については、開口部全閉状態において、下方隙間３２から水が浸入することを防止できるように、本体部７１と防水シート６０とが設置されている。実施の形態１においては、図２、図３に示すように、防水シート６０が、座板３１の下端部と本体部７１の下方差込端部７２とによって挟持され、且つ、この下方差込端部７２と建物の床面とによって挟持されるように、これら下方差込端部７２及び防水シート６０の一部が下方隙間３２に差し込まれている。このような設置関係により、開口部全閉状態において、防水シート６０を強固に保持できることから、下方隙間３２から水が浸入することを防止することが可能となる。特に、下方差込端部７２と建物の床面とによって、防水シート６０を強固に保持できるので、建物の床面と防水シート６０との相互間の隙間から水が浸入することを抑制することが可能となる。
【００４４】
また、この本体部７１には、第１切欠部７３（切欠部）と、第２切欠部７４とが形成されている。このうち、第１切欠部７３は、ユーザが下方差込部材７０を把持する場合に、ユーザの指を掛けたり、下方差込部材７０の軽量化を図るためのものである。この第１切欠部７３は、本体部７１における下方差込端部７２とは反対側の端部において、本体部７１の左右方向全長にわたって形成されている。また、この第１切欠部７３の縦断面形状については任意であるが、実施の形態１においては、ユーザの指が第１切欠部７３にかかりやすくなるように、半円形状にて形成されている（あるいは、これに限られず、矩形状や三角形状にて形成されてもよい）。このような第１切欠部７３によって、第１切欠部７３に指を掛けることができ、下方差込部材７０を所定位置に容易に差し込むことが可能となると共に、第１切欠部７３が設けられていない場合に比べて、下方差込部材７０の軽量化を図ることができ、製造コストを低減することが可能となる。
【００４５】
また、第２切欠部７４は、密着部７５を収容する空間７４ａ（以下、「収容空間７４ａ」と称する）を形成するために形成されたものである。この第２切欠部７４は、本体部７１の下面において、本体部７１の左右方向全長にわたって形成されている。また、この第２切欠部７４の縦断面形状については任意であるが、実施の形態１においては、台形にて形成されている（あるいは、これに限られず、三角形状や半円形状、矩形にて形成されてもよい）。また、この第２切欠部７４の配置については任意であるが、実施の形態１では、第２切欠部７４又は収容空間７４ａに収容された密着部７５によって下方差込部材７０が差し込みづらくなることを抑制できるように、本体部７１の下面における下方差込端部７２とは反対側の端部側に配置されている。このような第２切欠部７４によって、収容空間７４ａを形成できることから、この収容空間７４ａに密着部７５を収容することが可能となる。
【００４６】
また、この本体部７１は、任意の材質で製造することができるが、実施の形態１においては、耐水性に優れ、且つ、変形しにくい材質（例えば、ゴム等の樹脂材等）で製造されている。
【００４７】
（構成−浸水防止構造−下方差込部材−密着部）
密着部７５は、防水シート６０の一部を建物の床面に対して密着させるものである。この密着部７５が設けられた理由は、以下の通りである。すなわち、下方差込部材７０が本体部７１のみを備えた場合には、建物の床面の形状が凹凸状である場合に、建物の床面の形状が平坦状である場合に比べて、本体部７１と建物の床面とを密着させづらくなるので、建物の床面と防水シート６０との相互間の隙間から水が浸入する可能性があった。そこで、この問題を解消するために、密着部７５が設けられている。この密着部７５は、中空管状体であり（又は、中実体であってもよい）、本体部７１の左右方向全長にわたって形成されている。また、この密着部７５は、本体部７１の収容空間７４ａに収容されており、具体的には、密着部７５を防水シート６０を介して建物の床面に確実に接触させることができるように、密着部７５の一部が収容空間７４ａから下方に向けて突出するように収容されている。この場合において、密着部７５と第２切欠部７４との形状の関係については任意であるが、実施の形態１においては、開口部全閉状態において、下方隙間３２に下方差込部材７０が差し込まれることにより、密着部７５が本体部７１によって押圧されることで押圧変形した場合に、この押圧変形した密着部７５が収容空間７４ａからはみ出さないように、これら密着部７５及び第２切欠部７４の形状が設定されている。これにより、密着部７５が押圧変形した場合でも、この押圧変形した密着部７５が収容空間７４ａからはみ出すことを抑制できるため、本体部７１を建物の床面に対して安定して支持することが可能となる。
【００４８】
また、この密着部７５は、任意の材質で製造することができるが、実施の形態１においては、耐水性を有し、自己の押圧変形により生じる復元力を防水シート６０の一部に作用させることによって、この防水シート６０の一部を建物の床面に対して密着させることができ、且つ、建物の床面の表面形状に応じて変形できる材質で製造されており、具体的には、密着部７５の硬度が本体部７１の硬度よりも低い材質で製造されている。
【００４９】
このような密着部７５により、開口部全閉状態において、下方隙間３２に下方差込部材７０を差し込んだ場合に、密着部７５によって防水シート６０の一部を建物の床面によって密着させることができるので、建物の床面と防水シート６０との相互間の隙間から水が浸入することを抑制することが可能となる。特に、建物の床面の表面形状に関わらず、密着部７５によって防水シート６０の一部と建物の床面とを所定の領域で密着させることができるため、建物の床面と防水シート６０との相互間の隙間から水が浸入することを一層抑制することが可能となる。
【００５０】
（構成−浸水防止構造−側方差込部材）
側方差込部材８０は、開口部全閉状態において、左側方隙間３３及び右側方隙間３４の各々に差し込むものである。この側方差込部材８０が設けられた理由は、以下の通りである。すなわち、防水シート６０を固定する方法として、例えば、防水シート６０の横方向の端部の各々に固定部材を取り付けると共に、建物の左壁１１及び右壁１２の各々に取付ネジによって保持部材を取り付けて、防水シート６０を固定部材を介して保持部材に対して固定する方法が考えられる。しかしながら、この方法では、保持部材を取り付けるための取付穴を左壁１１及び右壁１２の各々に設けておく必要があり、この取付穴を左壁１１及び右壁１２の各々に設けるための準備工事を行わなければならないことから、設置に手間がかかる可能性があった。そこで、この問題を解消するために、側方差込部材８０が設けられている。この側方差込部材８０は、例えばゴム等の樹脂製のブロック状体にて形成されており、図１、図２に示すように、開口部全閉状態において、左側方隙間３３及び右側方隙間３４の各々に差し込まれている。
【００５１】
また、この側方差込部材８０の形状については任意であるが、開口部全閉状態において、側方差込部材８０の差し込まれる部分（以下、「側方差込端部」と称する）が左側方隙間３３（又は右側方隙間３４）に隙間なく差し込むことができる形状にて形成されている。具体的には、側方差込端部の前後方向の長さ（厚さ）は、左側方隙間３３（又は右側方隙間３４）の前後方向の長さ（隙間の幅）に対して、その先端部においては短くなると共にその後端部においては略同一又は長くなるように形成されている。また、側方差込端部の上下方向の長さ（高さ）は、防水シート６０の上端部から建物の床面に至る長さに対して、略同一となるように形成されている。
【００５２】
また、この側方差込部材８０と防水シート６０との設置関係については、開口部全閉状態において、左側方隙間３３（又は右側方隙間３４）から水が浸入することを防止できるように、側方差込部材８０と防水シート６０とが設置されている。実施の形態１においては、防水シート６０が、左側のガイドレール１４と側方差込端部とによって挟持されるように、これら側方差込端部及び防水シート６０の一部が左側方隙間３３に差し込まれている。また、防水シート６０が、右側のガイドレール１４と側方差込端部とによって挟持されるように、これら側方差込端部及び防水シート６０の一部が右側方隙間３４に差し込まれている。また、これら側方差込端部のいずれか一方（実施の形態では、左側方隙間３３に差し込まれる側方差込端部）においては、例えば、設置性を高めるために、当該側方差込端部の後面（前後方向の建物内側面）に対して、防水シート６０が糸によって接続されている。この糸は、例えば、耐久性や耐候性を有する公知の糸（ナイロン糸やポリエステル糸等の化学繊維糸や、綿たこ糸等の天然繊維糸等）を用いて構成されており、側方差込端部の後面において、当該側方差込端部の上下方向全長にわたって接続されている。また、この糸による接続部分は、所定間隔を隔てて左右方向に沿って複数並設されている。
【００５３】
このような側方差込部材８０により、開口部全閉状態において、防水シート６０を強固に保持できることから、左側方隙間３３及び右側方隙間３４から水が浸入することを防止することが可能となる。
【００５４】
（構成−浸水防止構造−押圧部材）
押圧部材９０は、防水シート６０を押圧するためのものである。この押圧部材９０が設けられた理由は、以下に示す通りである。すなわち、シャッター１としては様々な幅のものがあるため、各幅に応じて異なる下方差込部材７０を形成することも考えられるが、製造コスト低減等のためには、各幅に共通に使用することができるように下方差込部材７０を形成することがより好ましい。そこで、実施の形態１においては、左右方向の長さ（幅）が異なる２種類の下方差込部材７０（例えば、幅＝３００ｍｍ程度の下方差込部材７０、及び幅＝６００ｍｍ程度の下方差込部材７０等）とを、シャッター１の幅に応じた数だけ組み合わせることで、これら複数の下方差込部材７０を下方隙間３２に隙間なく差し込むこととしている。この際、上記２種類の幅の下方差込部材７０のうち、いずれを優先的に差し込んでもよい。しかしながら、この場合において、シャッター１の幅が、複数組み合わせた下方差込部材７０の合計幅と同一でない限り、下方隙間３２のうち、複数の下方差込部材７０で埋めることができない余剰部分（具体的には、上記幅が短い下方差込部材７０の左右方向の長さ（幅）よりも左右方向の長さ（幅）が短い余剰部分）が生じる場合が考えられる。そこで、この問題を解消するために、押圧部材９０が設けられている。
【００５５】
この押圧部材９０は、例えば、ステンレス等の金属製（又は樹脂コーティングされた金属製）の肉厚な板状体（又は棒状体）にて形成されている。また、この押圧部材９０の幅については、様々な余剰部分の左右方向の長さ（幅）に対応できるように、２種類の下方差込部材７０のうち、幅が短い下方差込部材７０の幅よりも若干長くなるように設定されており、具体的には、幅が短い方の下方差込部材７０の幅＝３００ｍｍ程度である場合に、３５０ｍｍ程度に設定される。そして、図１（ａ）、図１（ｂ）に示すように、この押圧部材９０は、開口部全閉状態において、防水シート６０における建物の床面に対向する部分のうち、上記余剰部分の近傍部分（例えば、下方差込部材７０よりも建物の外側の位置）に載置されている。例えば、シャッター１の幅＝２９００ｍｍ、幅が長い下方差込部材７０の幅＝６００ｍｍ、幅が短い下方差込部材７０の幅＝３００ｍｍの場合には、４つの上記幅が長い下方差込部材７０と、１つの上記幅が短い下方差込部材７０とを、それぞれ相互に隙間なく配置した上で、この余剰部分の近傍部分に、押圧部材９０を載置する。この際、押圧部材９０は下方隙間３２の左端部又は右端部には配置しないことが好ましいため、余剰部分（幅＝２００ｍｍ）が下方隙間３２の左端部又は右端部に生じないように、下方差込部材７０を配置する。この押圧部材９０によって、開口部全閉状態において、下方隙間３２に上記余剰部分が生じた場合でも、防水シート６０における余剰部分に対応する部分を押圧できるので、防水シート６０と建物の床面との相互間の隙間から水が浸入することを一層抑制することが可能となる。
【００５６】
以上のような浸水防止構造により、開口部全閉状態において、下方隙間３２から水が浸入することを防止できる。特に、部材の重量によって防水シート６０を建物の床面に押圧するのではなく、下方差込部材７０の差し込みによって防水シート６０を建物の床面に圧接するので、従来技術に比べて、流水の強さに関わらず同じ下方差込部材７０を用いることができる。よって、当該構造で使用される部材の軽量化を図ることができ、設置性を高めることが可能となる。また、図１（ａ）、図１（ｂ）に示すように、側方差込部材８０と左側（又は右側）のガイドレール１４とによって防水シート６０の一部が挟持されていることに加えて、下方差込部材７０と建物の床面とによって、防水シート６０における建物の床面に対向する部分のうち、左側（又は右側）のガイドレール１４の下端部近傍部分が挟持されているので、防水シート６０を一層強固に保持できることから、当該ガイドレール１４と防水シート６０との相互間の隙間から水が浸入することも一層抑制することが可能となる。
【００５７】
（構成−浸水防止構造の取付方法）
次に、浸水防止構造の取付方法について説明する。まず、開口部全閉状態になるように、シャッターカーテン３０を移動させる。次に、防水シート６０と接続された側方差込部材８０及び防水シート６０の一部を、開口部３の幅方向（すなわち、左右方向）の中央側から左側のガイドレール１４側に向けて左側方隙間３３に差し込む。この際、この側方差込部材８０の下端部を建物の床面に当接させる（なお、後述する防水シート６０と接続されていない側方差込部材８０についても同様とする）。
【００５８】
次に、防水シート６０によって下方隙間３２が覆われるように、この防水シート６０を、少なくともシャッターカーテン３０の外側面から建物の床面に至るように配置すると共に、下方隙間３２に差し込まれる下方差込部材７０よりも建物の外側に延出させた状態となるように配置する。
【００５９】
次いで、防水シート６０と接続されていない側方差込部材８０及び防水シート６０の一部を、開口部３の幅方向の中央側から右側のガイドレール１４側に向けて右側方隙間３４に差し込む。この際、この側方差込部材８０の下端部を建物の床面に当接させる。
【００６０】
次に、座板３１を上方に持ち上げることにより、この最下方側のスラット３０ａ及び隣接するスラット３０ａの嵌合部３０ｂの噛み合わせをずらすことで下方隙間３２を形成する。そして、この下方隙間３２に、複数の下方差込部材７０及び防水シート６０の一部を、建物の外側から内側に向けて下方隙間３２に差し込むことにより、防水シート６０を、座板３１の下端部と下方差込部材７０における本体部７１の下方差込端部７２とによって挟持させ、且つ、この下方差込端部７２と建物の床面とによって挟持させる。この場合において、下方差込部材７０がぐらつかない程度に、この下方差込部材７０を下方隙間３２に差し込む。また、複数の下方差込部材７０のうち、最左方側の下方差込部材７０を、防水シート６０と接続された側方差込部材８０に当接させると共に、最右方側の下方差込部材７０を、防水シート６０と接続されていない側方差込部材８０に当接させる。
【００６１】
続いて、押圧部材９０を、防水シート６０における建物の床面に対向する部分のうち上記余剰部分の近傍部分に載置する。これにて、浸水防止構造の取り付けは終了する。
【００６２】
なお、浸水防止構造を取り外す場合には、まず、押圧部材９０を防水シート６０から取り外す。次に、防水シート６０が接続されていない側方差込部材８０を右側方隙間３４から取り外す。次いで、複数の下方差込部材７０を防水シート６０から取り外す。この場合において、下方差込部材７０が比較的強固に差し込まれている場合には、シャッターカーテン３０を上方に向けて移動させた後で、複数の下方差込部材７０を取り外してもよい。そして、防水シート６０が接続された側方差込部材８０を左側方隙間３３から取り外す。
【００６３】
（効果）
このように実施の形態１によれば、本体部７１全体の縦断面形状をくさび状とし、開口部全閉状態において、防水シート６０が、座板３１の下端部と下方差込端部７２とによって挟持され、且つ、下方差込端部７２と建物の床面とによって挟持されるように、これら下方差込端部７２及び防水シート６０の一部を下方隙間３２に差し込むので、防水シート６０及び下方差込部材７０によって、この下方隙間３２から水が浸入することを防止できる。特に、部材の重量によって防水シート６０を建物の床面に押圧するのではなく、部材の差し込み圧力によって防水シート６０を建物の床面に圧接することができるので、流水の強さに応じて部材（下方差込部材７０）の重量を増加させる必要がなく、同じ部材（下方差込部材７０）を用いることができる。よって、従来技術に比べて、浸水防止のために使用される部材（下方差込部材７０）の軽量化を図ることができ、浸水防止構造の設置性を高めることが可能となる。
【００６４】
また、下方差込部材７０は、自己の押圧変形により生じる復元力を防水シート６０の一部に作用させることによって、この防水シート６０の一部を建物の床面に対して密着させる密着部７５を備えるので、開口部全閉状態において、下方隙間３２に下方差込部材７０を差し込んだ場合に、密着部７５によって防水シート６０の一部を建物の床面によって密着させることができ、建物の床面と防水シート６０との相互間の隙間から水が浸入することを一層抑制することが可能となる。
【００６５】
また、密着部７５を、下方差込部材７０の下面において、建物の床面の表面形状に応じて変形可能となるように形成したので、建物の床面の表面形状に関わらず、密着部７５によって防水シート６０の一部と建物の床面とを所定の領域で密着させることができ、建物の床面と防水シート６０との相互間の隙間から水が浸入することを一層抑制することが可能となる。
【００６６】
また、下方差込部材７０における下方差込端部７２とは反対側の端部に、第１切欠部７３を形成したので、第１切欠部７３に指を掛けることができ、下方差込部材７０を所定位置に容易に差し込むことが可能となる。また、第１切欠部７３が設けられていない場合に比べて、下方差込部材７０の軽量化を図ることができ、下方差込部材７０の製造コストを低減することが可能となる。
【００６７】
また、開口部全閉状態において、防水シート６０を、下方隙間３２に差し込まれた下方差込部材７０よりも建物の外側に延出させたので、水によって防水シート６０の延出部分が押圧されることが可能となることから、建物の床面と防水シート６０との相互間の隙間から水が浸入することをさらに一層抑制することが可能となる。
【００６８】
また、左側方隙間３３（又は右側方隙間３４）に、開口部３の幅方向（左右方向）の中央側から左側（又は右側）のガイドレール１４側に向けて差し込むための側方差込部材８０を備えたので、側方差込部材８０とガイドレール１４とによって防水シート６０における上端部から下方隙間３２に至る部分が挟持されることにより、流水によって防水シート６０がめくり上がることを一層抑制でき、建物の床面と防水シート６０との相互間の隙間から水が浸入することも一層抑制することが可能となる。
【００６９】
〔実施の形態２〕
次に、実施の形態２に係る浸水防止構造について説明する。この実施の形態２は、下方差込部材の一部の縦断面形状をくさび状とした形態である。ただし、この実施の形態２の構成は、特記する場合を除いて、実施の形態１の構成と略同一であり、実施の形態１の構成と略同一の構成についてはこの実施の形態１で用いたものと同一の符号及び／又は名称を必要に応じて付して、その説明を省略する。
【００７０】
（構成−浸水防止構造）
まず、実施の形態２に係るシャッター１の構成のうち、浸水防止構造の構成を説明する。図５は、実施の形態２に係る浸水防止構造を示す図であって、図２の下方領域の拡大図である。図５に示すように、実施の形態２に係る浸水防止構造は、実施の形態１に係る浸水防止構造とほぼ同様に構成されている。ただし、下方差込部材７０の構成については、下記に示す工夫が施されている。
【００７１】
（構成−浸水防止構造−下方差込部材）
次に、下方差込部材７０について説明する。図６は、下方差込部材７０を示す図であり、（ａ）は平面図、（ｂ）は背面図、（ｃ）は底面図、（ｄ）は（ｂ）の下方差込部材７０のＤ−Ｄ矢視断面図である。図５、図６に示すように、実施の形態２に係る下方差込部材７０は、本体部７１と、密着部７５とを備えている。
【００７２】
（構成−浸水防止構造−下方差込部材−本体部）
本体部７１は、当該本体部７１の一部のみの縦断面形状がくさび状になるように形成されており、実施の形態２においては、図５、図６（ｄ）に示すように、本体部７１における下方差込端部７２から略中央部に至る部分の縦断面形状がくさび状になるように形成されている。
【００７３】
（構成−浸水防止構造−下方差込部材−密着部）
密着部７５は、縦断面形状が略円弧状である板状体であり、本体部７１の左右方向全長にわたって形成されている。また、この密着部７５は、本体部７１の下方差込端部７２とは反対側の端部において、この密着部７５の一部が本体部７１から下方に向けて突出するように配置されている。また、この密着部７５は、任意の材質で製造することができるが、実施の形態２においては、耐水性を有し、且つ、自己の曲げ変形により生じる復元力を防水シート６０の一部に作用させることによって、この防水シート６０の一部を建物の床面に対して密着させることができる材質で製造されており、具体的には、密着部７５の硬度が本体部７１の硬度よりも低い材質で製造されている。このような密着部７５により、開口部全閉状態において、下方隙間３２に下方差込部材７０を差し込んだ場合に、密着部７５を建物の外側に向けて曲げ変形させたときに生じる復元力を防水シート６０の一部に作用させることによって、この防水シート６０の一部を建物の床面に対して密着させることができるので、建物の床面と防水シート６０との相互間の隙間から水が浸入することを一層抑制することが可能となる。
【００７４】
（構成−浸水防止構造の取付方法）
次に、浸水防止構造の取付方法について説明する。実施の形態２に係る取付方法は、実施の形態１に係る取付方法と同様に、まず、開口部全閉状態になるように、このシャッターカーテン３０を移動させる。次に、防水シート６０が接続されている側方差込部材８０及び防水シート６０の一部を、開口部３の幅方向（すなわち、左右方向）の中央側から左側のガイドレール１４側に向けて左側方隙間３３に差し込んだ後、防水シート６０を所定の位置に配置する。次に、防水シート６０が接続されていない側方差込部材８０及び防水シート６０の一部を、開口部３の幅方向の中央側から右側のガイドレール１４側に向けて右側方隙間３４に差し込む。次いで、複数の下方差込部材７０及び防水シート６０の一部を、建物の外側から内側に向けて下方隙間３２に差し込む。この場合において、各下方差込部材７０の密着部７５によって、防水シート６０における建物の床面に対向する部分のうち下方差込部材７０よりも建物の外側の部分が押圧されるように、この密着部７５を建物の外側に向けて曲げ変形させた状態で防水シート６０に接触させる。そして、押圧部材９０を防水シート６０に載置する。これにて、浸水防止構造の取り付けは終了する。
【００７５】
（効果）
このように実施の形態２によれば、下方差込部材７０のうち、本体部７１の一部の縦断面形状を、くさび状とし、開口部全閉状態において、防水シート６０が、座板３１の下端部と下方差込端部７２とによって挟持され、且つ、下方差込端部７２と建物の床面とによって挟持されるように、これら下方差込端部７２及び防水シート６０の一部を下方隙間３２に差し込むので、これら防水シート６０及び下方差込部材７０によって、建物の床面と防水シート６０との相互間の隙間から水が浸入することを防止できる。
【００７６】
また、下方差込部材７０は、自己の曲げ変形により生じる復元力を防水シート６０の一部に作用させることによって、この防水シート６０の一部を建物の床面に対して密着させる密着部７５を備えるので、開口部全閉状態において、下方隙間３２に下方差込部材７０を差し込んだ場合に、密着部７５によって防水シート６０の一部を建物の床面によって密着させることができ、建物の床面と防水シート６０との相互間の隙間から水が浸入することを一層抑制することが可能となる。
【００７７】
〔実施の形態３〕
次に、実施の形態３に係る浸水防止構造について説明する。この実施の形態３は、実施の形態２とは異なる形態であって、差込部材の一部の縦断面形状をくさび状とした形態である。ただし、この実施の形態３の構成は、特記する場合を除いて、実施の形態１の構成と略同一であり、実施の形態３の構成と略同一の構成についてはこの実施の形態１で用いたものと同一の符号及び／又は名称を必要に応じて付して、その説明を省略する。
【００７８】
（構成−浸水防止構造）
まず、実施の形態３に係るシャッター１の構成のうち、浸水防止構造の構成を説明する。図７は、実施の形態３に係る浸水防止構造を示す図であって、図２の下方領域の拡大図である。図７に示すように、実施の形態３に係る浸水防止構造は、実施の形態１に係る浸水防止構造とほぼ同様に構成されている。ただし、下方差込部材７０の構成については、下記に示す工夫が施されている。
【００７９】
（構成−浸水防止構造−下方差込部材）
次に、下方差込部材７０について説明する。図８は、下方差込部材７０を示す図であり、（ａ）は平面図、（ｂ）は背面図、（ｃ）は底面図、（ｄ）は（ｂ）の下方差込部材７０のＥ−Ｅ矢視断面図である。図７、図８に示すように、実施の形態３に係る下方差込部材７０は、本体部７１と、密着部７５とを備えている。
【００８０】
（構成−浸水防止構造−下方差込部材−本体部）
本体部７１は、当該本体部７１の一部のみの縦断面形状がくさび状になるように形成されており、実施の形態３においては、図７、図８（ｄ）に示すように、本体部７１における下方差込端部７２から略中央部に至る部分の縦断面形状がくさび状になるように形成されている。また、この本体部７１には、第２切欠部７４が形成されている。この第２切欠部７４の大きさについては任意であるが、実施の形態３においては、密着部７５の一部を収容空間７４ａに収容可能な大きさに設定されている。
【００８１】
（構成−浸水防止構造−下方差込部材−密着部）
密着部７５は、直方体であり、本体部７１の左右方向全長にわたって形成されており、本体部７１の収容空間７４ａにおいて、隙間なく収容されていると共に、この密着部７５の一部が収容空間７４ａから下方に向けて突出するように収容されている。また、この密着部７５は、任意の材質で製造することができるが、実施の形態３においては、耐水性を有し、自己の押圧変形により生じる復元力を防水シート６０の一部に作用させることによって、この防水シート６０の一部を建物の床面に対して密着させることができ、且つ、建物の床面の表面形状に応じて変形できる材質で製造されており、具体的には、密着部７５の硬度が本体部７１の硬度よりも低い材質（例えば、比較的硬度が低いエプトシーラ等）で製造されている。このような密着部７５により、実施の形態１と同様に、開口部全閉状態において、下方隙間３２に下方差込部材７０を差し込んだ場合に、防水シート６０の一部を建物の床面によって密着させることができるので、建物の床面と防水シート６０との相互間の隙間から水が浸入することを一層抑制することが可能となる。
【００８２】
（効果）
このように実施の形態３によれば、下方差込部材７０は、自己の押圧変形により生じる復元力を防水シート６０の一部に作用させることによって、この防水シート６０の一部を建物の床面に対して密着させる密着部７５を備えるので、実施の形態１と同様に、開口部全閉状態において、下方隙間３２に下方差込部材７０を差し込んだ場合に、密着部７５によって防水シート６０の一部を建物の床面によって密着させることができ、建物の床面と防水シート６０との相互間の隙間から水が浸入することを一層抑制することが可能となる。
【００８３】
〔III〕実施の形態に対する変形例
以上、本発明の各実施の形態について説明したが、本発明の具体的な構成及び手段は、特許請求の範囲に記載した各発明の技術的思想の範囲内において、任意に改変及び改良することができる。以下、このような変形例について説明する。
【００８４】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。例えば、本発明に係る浸水防止構造の設置性が従来と同程度であっても、従来と異なる構造により従来と同程度の設置性を確保できている場合には、本願の課題は解決している。
【００８５】
（浸水防止構造の構成について）
上記実施の形態１から３では、浸水防止構造が、防水シート６０と、下方差込部材７０と、側方差込部材８０と、押圧部材９０とを備えていると説明したが、これに限られず、例えば、これらの構成要素に加えて、吸水膨張材を備えてもよい。吸水膨張材は、開口部全閉状態において、水により膨張することで下方隙間３２を塞ぐためのものである。この吸水膨張材は、公知の吸水性ポリマー等を用いて構成されており、下方差込部材７０の上面や下面に設置される。このような吸水膨張材により、開口部全閉状態において、下方隙間３２を塞ぐことができるので、この下方隙間３２から水が浸入することを一層防止することが可能となる。
【００８６】
（防水シートについて）
上記実施の形態１から３では、開口部全閉状態において、防水シート６０によってシャッターカーテン３０の外側面の一部が覆われるように、当該防水シート６０が配置されていると説明したが、これに限られず、例えば、防水シート６０によってシャッターカーテン３０の外側面の全体が覆われるように、当該防水シート６０が配置されてもよい。また、上記実施の形態１から３では、開口部全閉状態において、防水シート６０が下方隙間３２に差し込まれた下方差込部材７０よりも建物の外側に延出されていると説明したが、これに限られず、少なくとも、防水シート６０が密着部７５よりも建物の外側に延出されていればよい。
【００８７】
（下方差込部材について）
上記実施の形態１から３では、左右方向の長さ（幅）が異なる２種類の下方差込部材７０が、下方隙間３２に隙間なく複数差し込まれると説明したが、これに限られず、例えば、１種類の下方差込部材７０が、下方隙間３２に隙間なく複数差し込まれてもよい。
【００８８】
（下方差込部材の本体部について）
上記実施の形態１から３では、下方差込部材７０の本体部７１の下面のうち、建物の床面との接触部分が、平坦状に形成されていると説明したが、これに限られない。例えば、この接触部分の少なくとも一部に、凸部を設けてもよい。この凸部は、本体部７１の左右方向全長にわたって形成される。また、この凸部は、任意の材質で製造することができるが、例えば、この凸部が建物の床面に密着できるように、本体部７１によって押圧されることで変形できる材質にて形成されてもよく、具体的には、凸部の硬度が本体部７１の硬度よりも低い材質にて形成される。このような構成により、防水シート６０を介して本体部７１と建物の床面とを線接触させることができるので、凸部を設けない場合に比べて、防水シート６０と建物の床面との相互間の隙間から水が浸入することを抑制することが可能となる。
【００８９】
また、上記実施の形態１では、本体部７１に第１切欠部７３が設けられていると説明したが、例えば、第１切欠部７３を省略してもよい。また、上記実施の形態３では、本体部７１に第２切欠部７４が設けられていると説明したが、例えば、第２切欠部７４を省略してもよい。この場合において、例えば本体部７１の下面の一部に密着部７５が設けられてもよく、あるいは、本体部７１の下面全体に密着部７５が設けられてもよい。
【００９０】
（下方差込部材の密着部について）
上記実施の形態１から３では、本体部７１の下面に密着部７５が設けられていると説明したが、例えば、密着部７５を省略してもよい。
【００９１】
また、上記実施の形態１では、本体部７１の下面に密着部７５が１つのみ設けられていると説明したが、これに限られず、例えば、複数の密着部７５が前後方向に沿って並設されてもよい。また、上記実施の形態１では、本体部７１の下面のみに密着部７５が設けられていると説明したが、これに限られず、例えば、本体部７１の下方差込端部７２とは反対側の端部にも、実施の形態２に係る密着部７５が設けられてもよい。
【００９２】
（下方差込部材及び防水シートの差し込みについて）
上記実施の形態１、３では、開口部全閉状態において、防水シート６０が、座板３１の下端部と本体部７１の下方差込端部７２とによって挟持され、且つ、この下方差込端部７２と建物の床面とによって挟持されるように、これら下方差込端部７２及び防水シート６０の一部が下方隙間３２に差し込まれていると説明したが、これに限られない。例えば、図９に示すように、防水シート６０が、下方差込端部７２と建物の床面とによってのみ挟持されるように、これら下方差込端部７２及び防水シート６０の一部が下方隙間３２に差し込まれてもよい（この場合には、下方差込部材７０のうち、下方隙間３２に差し込まれていない部分は、防水シート６０によって覆われることになる）。
【００９３】
（押圧部材について）
上記実施の形態１から３では、押圧部材９０の幅については、２種類の下方差込部材７０のうち、幅が短い下方差込部材７０の幅よりも若干長くなるように設定されていると説明したが、これに限られず、例えば、余剰部分の幅と略同一に設定されてもよい。
【００９４】
また、上記実施の形態１から３では、押圧部材９０を設けると説明したが、これに限られず、例えば、押圧部材９０を省略してもよい。この場合には、余剰部分の幅と略同一となるように形成された下方差込部材７０を、当該余剰部分に差し込んでもよい。
【００９５】
（浸水防止構造の取付方法について）
上記実施の形態１から３では、側方差込部材８０及び防水シート６０の一部を左側方隙間３３及び右側方隙間３４の各々に差し込んでから、複数の下方差込部材７０及び防水シート６０の一部を下方差込部材７０に差し込むと説明したが、これに限られない。例えば、防水シート６０と接続された側方差込部材８０及び当該防水シート６０の一部を左側方隙間３３に差し込んでから、複数の下方差込部材７０及び防水シート６０の一部を下方隙間３２に差し込んだ後、防水シート６０と接続されていない側方差込部材８０及び防水シート６０の一部を右側方隙間３４に差し込んでもよい。
【００９６】
また、上記実施の形態１から３では、側方差込部材８０を取り外した後に、複数の下方差込部材７０を取り外すと説明したが、これに限られず、任意に順番を入れ替えてもよい。例えば、複数の下方差込部材７０を取り外して、防水シート６０が接続されていない側方差込部材８０を取り外した後に、防水シート６０が接続された側方差込部材８０を取り外してもよい。
【００９７】
（付記）
付記１の浸水防止構造は、建物の床面と、前記建物の壁の開口部を開閉する開閉体の下端部との相互間の下方隙間から水が浸入することを防止するための浸水防止構造であって、前記開閉体によって前記開口部を全閉した状態において、少なくとも当該開閉体の外側面から前記建物の床面に至るように設けられた防水シートと、前記下方隙間に、前記建物の外側から当該建物の内側に向けて差し込むための下方差込部材と、を備え、前記下方差込部材のうち、少なくとも前記下方隙間に差し込まれる側の端部である差込端部の縦断面形状を、くさび状とし、前記開閉体によって前記開口部を全閉した状態において、前記防水シートが、前記差込端部と前記建物の床面とによって挟持されるように、当該差込端部及び当該防水シートの一部を前記下方隙間に差し込んだ。
【００９８】
付記２の浸水防止構造は、付記１に記載の浸水防止構造において、前記下方差込部材は、自己の変形により生じる復元力を前記防水シートの一部に作用させることによって、当該防水シートの一部を前記建物の床面に対して密着させる密着部を備える。
【００９９】
付記３の浸水防止構造は、付記２に記載の浸水防止構造において、前記密着部を、前記下方差込部材の下面において、前記建物の床面の表面形状に応じて変形可能となるように形成した。
【０１００】
付記４の浸水防止構造は、付記１から３のいずれか一項に記載の浸水防止構造において、前記下方差込部材における前記差込端部とは反対側の端部に、切欠部を形成した。
【０１０１】
付記５の浸水防止構造は、付記１から４のいずれか一項に記載の浸水防止構造において、前記下方差込部材における少なくとも前記差込端部の下面に、凸部を設けた。
【０１０２】
付記６の浸水防止構造は、付記１から５のいずれか一項に記載の浸水防止構造において、前記開閉体によって前記開口部を全閉した状態において、前記防水シートを、前記下方隙間に差し込まれた前記下方差込部材よりも前記建物の外側に延出させた。
【０１０３】
付記７の浸水防止構造は、付記１から６のいずれか一項に記載の浸水防止構造において、前記建物の壁における前記開口部の側方に設けられた縦枠と、前記開閉体の外側面との相互間の側方隙間に、前記開口部の幅方向の中央側から前記縦枠側に向けて差し込むための側方差込部材を備え、前記開閉体によって前記開口部を全閉した状態において、前記防水シートが、前記側方差込部材と前記縦枠とによって挟持されるように、当該側方差込部材及び当該防水シートの一部を前記側方隙間に差し込んだ。
【０１０４】
（付記の効果）
付記１に記載の浸水防止構造によれば、請求項１に記載の浸水防止構造によれば、下方差込部材のうち、少なくとも差込端部の縦断面形状を、くさび状とし、開閉体によって開口部を全閉した状態において、防水シートが、差込端部と建物の床面とによって挟持されるように、当該差込端部及び当該防水シートの一部を下方隙間に差し込むので、防水シート及び下方差込部材によって、この下方隙間から水が浸入することを防止できる。特に、部材の重量によって防水シートを建物の床面に押圧するのではなく、部材の差し込み圧力によって防水シートを建物の床面に圧接することができるので、流水の強さに応じて部材（下方差込部材）の重量を増加させる必要がなく、同じ部材（下方差込部材）を用いることができる。よって、従来技術に比べて、浸水防止のために使用される部材（下方差込部材）の軽量化を図ることができ、浸水防止構造の設置性を高めることが可能となる。
【０１０５】
付記２に記載の浸水防止構造によれば、下方差込部材は、自己の変形により生じる復元力を防水シートの一部に作用させることによって、当該防水シートの一部を建物の床面に対して密着させる密着部を備えるので、開閉体によって開口部を全閉した状態において、下方隙間に下方差込部材を差し込んだ場合に、密着部によって防水シートの一部を建物の床面によって密着させることができ、建物の床面と防水シートとの相互間の隙間から水が浸入することを一層抑制することが可能となる。
【０１０６】
付記３に記載の浸水防止構造によれば、密着部を、下方差込部材の下面において、建物の床面の表面形状に応じて変形可能となるように形成したので、建物の床面の表面形状に関わらず、密着部によって防水シートの一部と建物の床面とを所定の領域で密着させることができ、建物の床面と防水シートとの相互間の隙間から水が浸入することを一層抑制することが可能となる。
【０１０７】
付記４に記載の浸水防止構造によれば、下方差込部材における差込端部とは反対側の端部に、切欠部を形成したので、切欠部に指を掛けることができ、下方差込部材を所定位置に容易に差し込むことが可能となる。また、切欠部が設けられていない場合に比べて、下方差込部材の軽量化を図ることができ、下方差込部材の製造コストを低減することが可能となる。
【０１０８】
付記５に記載の浸水防止構造によれば、下方差込部材における少なくとも差込端部の下面に、凸部を設けたので、下方差込部材と建物の床面とを線接触させることができ、建物の床面と防水シートとの相互間の隙間から水が浸入することをさらに一層抑制することが可能となる。
【０１０９】
付記６に記載の浸水防止構造によれば、開閉体によって開口部を全閉した状態において、防水シートを、下方隙間に差し込まれた下方差込部材よりも建物の外側に延出させたので、水によって防水シートの延出部分が押圧されることが可能となることから、建物の床面と防水シートとの相互間の隙間から水が浸入することをさらに一層抑制することが可能となる。
【０１１０】
付記７に記載の浸水防止構造によれば、側方隙間に、開口部の幅方向の中央側から縦枠側に向けて差し込むための側方差込部材を備えたので、側方差込部材と縦枠とによって防水シートにおける上端部から下方隙間に至る部分が挟持されることにより、流水によって防水シートがめくり上がることを一層抑制でき、建物の床面と防水シートとの相互間の隙間から水が浸入することも一層抑制することが可能となる。
【符号の説明】
【０１１１】
１  シャッター
２  躯体
３  開口部
１１  左壁
１２  右壁
１３  上壁
１４  ガイドレール
２０  シャッター収納部
３０  シャッターカーテン
３０ａ  スラット
３０ｂ  嵌合部
３１  座板
３１ａ  嵌合部
３２  下方隙間
３３  左側方隙間
３４  右側方隙間
５０  巻き取り軸
６０  防水シート
７０  下方差込部材
７１  本体部
７２  下方差込端部
７３  第１切欠部
７４  第２切欠部
７４ａ  収容空間
７５  密着部
８０  側方差込部材
９０  押圧部材
Ｌ１、Ｌ２  距離
【図１】
0006474254.tif 000002
【図２】
0006474254.tif 000003
【図３】
0006474254.tif 000004
【図４】
0006474254.tif 000005
【図５】
0006474254.tif 000006
【図６】
0006474254.tif 000007
【図７】
0006474254.tif 000008
【図８】
0006474254.tif 000009
【図９】
0006474254.tif 000010